(57)【要約】【課題】ユーザが手間を掛けずに画像プリント装置で画像のプリントを行えるようにする携帯端末等を提供する。【解決手段】携帯端末５は、画像のプリント注文を行うものであり、端末位置と画像とをサーバ３に送信する端末位置送信手段１０と、端末位置の周囲にある画像プリント装置の位置情報と、画像プリント装置で画像をプリントする際に用いられるトリガー情報とをサーバ３から受信する周囲装置受信手段１１と、周囲装置受信手段１１で受信した画像プリント装置の位置情報を表示する周囲装置表示手段１２と、を有する。【選択図】図７
2020088625.tif 000002
【特許請求の範囲】
【請求項１】
画像のプリント注文を行う携帯端末であって、
端末位置と画像とをサーバに送信する第１の送信手段と、
前記端末位置の周囲にある画像プリント装置の位置情報と、画像プリント装置で前記画像をプリントする際に用いられるトリガー情報とを前記サーバから受信する第１の受信手段と、
前記画像プリント装置の位置情報を表示する第１の表示手段と、
を有することを特徴とする携帯端末。
【請求項２】
前記第１の受信手段は、前記端末位置に最も近い画像プリント装置のみの位置情報を受信することを特徴とする請求項１記載の携帯端末。
【請求項３】
前記トリガー情報を表示する際、端末位置を前記サーバに送信する第２の送信手段と、
前記第２の送信手段で送信した端末位置の周囲にある画像プリント装置の位置情報を前記サーバから受信する第２の受信手段と、
前記第２の受信手段で受信した前記画像プリント装置の位置情報を表示する第２の表示手段と、
を有することを特徴とする請求項１または請求項２記載の携帯端末。
【請求項４】
前記第２の受信手段は、前記第２の送信手段で送信した端末位置に最も近い画像プリント装置のみの位置情報を受信することを特徴とする請求項３記載の携帯端末。
【請求項５】
前記トリガー情報を表示する際の端末位置が、前記第１の送信手段で送信した前記端末位置から所定距離離れていない場合、
前記第２の送信手段により端末位置を前記サーバに送信すること無く前記トリガー情報を表示することを特徴とする請求項３または請求項４記載の携帯端末。
【請求項６】
前記トリガー情報を表示する際の時刻が、前記第１の送信手段で前記端末位置と前記画像とを送信した時刻から所定時間経過していない場合、
前記第２の送信手段により端末位置を前記サーバに送信すること無く前記トリガー情報を表示することを特徴とする請求項３から請求項５のいずれかに記載の携帯端末。
【請求項７】
前記トリガー情報を表示する際の時刻が、前記第１の送信手段で前記端末位置と前記画像とを送信した時刻から所定時間経過している場合、
前記トリガー情報を表示する際の端末位置と、前記第１の送信手段で送信した前記端末位置とを比較し、２つの位置が所定距離離れている場合に、前記第２の送信手段により端末位置を前記サーバに送信することを特徴とする請求項３から請求項６のいずれかに記載の携帯端末。
【請求項８】
携帯端末から端末位置と画像とを受信する受信手段と、
前記端末位置の周囲にある画像プリント装置の位置情報と、画像プリント装置で前記画像をプリントする際に用いられるトリガー情報とを前記携帯端末に送信する送信手段と、
を有することを特徴とするサーバ。
【請求項９】
画像のプリント注文を行う携帯端末と、サーバとを有するプリント注文システムであって、
前記携帯端末は、
端末位置と画像とをサーバに送信する第１の送信手段と、
前記端末位置の周囲にある画像プリント装置の位置情報と、画像プリント装置で前記画像をプリントする際に用いられるトリガー情報とを前記サーバから受信する第１の受信手段と、
前記画像プリント装置の位置情報を表示する第１の表示手段と、
を有することを特徴とするプリント注文システム。
【請求項１０】
携帯端末を、
端末位置と画像とをサーバに送信する第１の送信手段と、
前記端末位置の周囲にある画像プリント装置の位置情報と、画像プリント装置で前記画像をプリントする際に用いられるトリガー情報とを前記サーバから受信する第１の受信手段と、
前記画像プリント装置の位置情報を表示する第１の表示手段と、
して機能させるためのプログラム。
【請求項１１】
コンピュータを、
携帯端末から端末位置と画像とを受信する受信手段と、
前記端末位置の周囲にある画像プリント装置の位置情報と、画像プリント装置で前記画像をプリントする際に用いられるトリガー情報とを前記携帯端末に送信する送信手段と、
を有するサーバとして機能させるためのプログラム。
【発明の詳細な説明】
【技術分野】
【０００１】
本発明は、画像のプリント注文を行う携帯端末、プリント注文を受け付けるサーバ、およびプリント注文システムとプログラムに関する。
【背景技術】
【０００２】
スマートフォン等の記憶部に格納されたユーザの画像を街頭のプリント装置でプリントできるサービスは種々存在し、コンビニエンスストアや家電量販店等に設置されている画像プリント装置でプリントを行うことが可能である。
【０００３】
また特許文献１には、画像プリント装置として証明写真の撮影ボックスを利用し、カメラ付き通信装置(携帯電話)からサーバに送信された画像を証明写真の撮影ボックスでダウンロードしてプリントするサービスが記載されている。
【先行技術文献】
【特許文献】
【０００４】
【特許文献１】特開2004−240737号公報
【発明の概要】
【発明が解決しようとする課題】
【０００５】
上記のようなサービスを利用するユーザは、周囲にある画像プリント装置に向かい、当該画像プリント装置で画像のプリントを行う。しかしながら、画像プリント装置の位置がわからず、その検索や移動に手間取ることも少なくない。
【０００６】
本発明は上記の問題に鑑みてなされたものであり、ユーザが手間を掛けずに画像プリント装置で画像のプリントを行えるようにする携帯端末等を提供することを目的とする。
【課題を解決するための手段】
【０００７】
前述した課題を解決するための第１の発明は、画像のプリント注文を行う携帯端末であって、端末位置と画像とをサーバに送信する第１の送信手段と、前記端末位置の周囲にある画像プリント装置の位置情報と、画像プリント装置で前記画像をプリントする際に用いられるトリガー情報とを前記サーバから受信する第１の受信手段と、前記画像プリント装置の位置情報を表示する第１の表示手段と、を有することを特徴とする携帯端末である。
【０００８】
本発明では、携帯端末から画像をサーバに送信して画像のプリント注文を行うと、端末位置の周囲にある画像プリント装置を携帯端末にて表示させることができる。これによりユーザは周囲にある画像プリント装置を把握し、手間取ることなく当該画像プリント装置へと移動し画像のプリントを行える。
【０００９】
前記第１の受信手段は、前記端末位置に最も近い画像プリント装置のみの位置情報を受信することも望ましい。
これにより、ユーザは最寄りの画像プリント装置を迅速に把握できる。
【００１０】
前記トリガー情報を表示する際、端末位置を前記サーバに送信する第２の送信手段と、前記第２の送信手段で送信した端末位置の周囲にある画像プリント装置の位置情報を前記サーバから受信する第２の受信手段と、前記第２の受信手段で受信した前記画像プリント装置の位置情報を表示する第２の表示手段と、を有することが望ましい。
ユーザは、一旦プリント注文を行った後に他の用事で別の場所に移動する場合もあり、このようなケースでは最初に携帯端末に表示させた画像プリント装置の位置情報が有効で無くなる。本発明では画像プリント装置で画像をプリントする際にトリガー情報を用いるが、このトリガー情報を携帯端末で表示させる際に再度端末位置の周囲にある画像プリント装置を表示させることで、上記のようにプリント注文を行った後に別の場所に移動した場合でも、移動後のユーザが画像をプリントしようとする際に周囲にある画像プリント装置を把握できる。
【００１１】
前記第２の受信手段は、前記第２の送信手段で送信した端末位置に最も近い画像プリント装置のみの位置情報を受信することが望ましい。
これにより、移動後のユーザは最寄りの画像プリント装置を迅速に把握できる。
【００１２】
前記トリガー情報を表示する際の端末位置が、前記第１の送信手段で送信した前記端末位置から所定距離離れていない場合、前記第２の送信手段により端末位置を前記サーバに送信すること無く前記トリガー情報を表示することが望ましい。あるいは、前記トリガー情報を表示する際の時刻が、前記第１の送信手段で前記端末位置と前記画像とを送信した時刻から所定時間経過していない場合、前記第２の送信手段により端末位置を前記サーバに送信すること無く前記トリガー情報を表示するようにしてもよい。
前記のようにプリント注文後にユーザが別の場所（所定距離離れた場所）に移動したかどうかは、端末位置やプリント注文時からの時間経過により判定でき、移動していないとされる場合には端末位置を再度送信することなくそのままトリガー情報を表示することができる。端末位置による判定を行うことでユーザが所定距離離れた場所に移動したかどうかを確実に判定でき、時間経過による判定を行うことで判定時に携帯端末の測位を行わずに済み処理が簡単になる。
【００１３】
前記トリガー情報を表示する際の時刻が、前記第１の送信手段で前記端末位置と前記画像とを送信した時刻から所定時間経過している場合、前記トリガー情報を表示する際の端末位置と、前記第１の送信手段で送信した前記端末位置とを比較し、２つの位置が所定距離離れている場合に、前記第２の送信手段により端末位置を前記サーバに送信することも望ましい。
このように、プリント注文時からの時間経過によりユーザが所定距離離れた場所に移動した可能性があるとされる場合のみ、端末位置によりユーザが所定距離離れた場所に移動したかどうかを判定することで、携帯端末の測位を行う頻度をできるだけ少なくしつつ、ユーザが所定距離離れた場所に移動したことを確実に判定できる。
【００１４】
第２の発明は、携帯端末から端末位置と画像とを受信する受信手段と、前記端末位置の周囲にある画像プリント装置の位置情報と、画像プリント装置で前記画像をプリントする際に用いられるトリガー情報とを前記携帯端末に送信する送信手段と、を有することを特徴とするサーバである。
【００１５】
第３の発明は、画像のプリント注文を行う携帯端末と、サーバとを有するプリント注文システムであって、前記携帯端末は、端末位置と画像とをサーバに送信する第１の送信手段と、前記端末位置の周囲にある画像プリント装置の位置情報と、画像プリント装置で前記画像をプリントする際に用いられるトリガー情報とを前記サーバから受信する第１の受信手段と、前記画像プリント装置の位置情報を表示する第１の表示手段と、を有することを特徴とするプリント注文システムである。
【００１６】
第４の発明は、携帯端末を、端末位置と画像とをサーバに送信する第１の送信手段と、前記端末位置の周囲にある画像プリント装置の位置情報と、画像プリント装置で前記画像をプリントする際に用いられるトリガー情報とを前記サーバから受信する第１の受信手段と、前記画像プリント装置の位置情報を表示する第１の表示手段と、して機能させるためのプログラムである。
【００１７】
第５の発明は、コンピュータを、携帯端末から端末位置と画像とを受信する受信手段と、前記端末位置の周囲にある画像プリント装置の位置情報と、画像プリント装置で前記画像をプリントする際に用いられるトリガー情報とを前記携帯端末に送信する送信手段と、を有するサーバとして機能させるためのプログラムである。
【発明の効果】
【００１８】
本発明により、ユーザが手間を掛けずに画像プリント装置で画像のプリントを行えるようにする携帯端末等を提供することが可能となる。
【図面の簡単な説明】
【００１９】
【図１】プリント注文システム１を示す図。
【図２】画像プリント装置２の外観を示す図。
【図３】画像プリント装置２のシステム構成を示す図。
【図４】制御装置２０のハードウェア構成を示す図。
【図５】サーバ３のハードウェア構成を示す図。
【図６】携帯端末５のハードウェア構成を示す図。
【図７】プリント注文システム１の機能構成を示す図。
【図８】注文画像データ１００、注文受付データ２００、装置データ３００の例。
【図９】画像１０１のプリント注文の手順を示すフローチャート。
【図１０】二次元コード１０４を表示する手順を示すフローチャート。
【図１１】画像１０１をプリントする手順を示すフローチャート。
【図１２】携帯端末５に表示される画面の例。
【図１３】二次元コード１０４を表示する手順を示すフローチャート。
【発明を実施するための形態】
【００２０】
以下、図面に基づいて本発明の好適な実施形態について詳細に説明する。
【００２１】
（１．プリント注文システム１）
図１は本発明の実施形態に係るプリント注文システム１を示す図である。図１に示すように、本実施形態のプリント注文システム１は、画像プリント装置２、サーバ３、及び携帯端末５がネットワーク６を介して通信可能に接続された構成を有する。
【００２２】
画像プリント装置２はユーザが自身の撮影を行う写真撮影装置としての機能も有し、例えば街頭に設置された証明写真の撮影ボックスである。画像プリント装置２はユーザを撮影してその画像を証明写真などとしてプリントする（写真撮影サービス）のに加え、携帯端末５からサーバ３に送信されたユーザの画像のプリントも行う（画像プリントサービス）。
【００２３】
図２は画像プリント装置２の外観を示す図であり、図３は画像プリント装置２のシステム構成を示す図である。
【００２４】
画像プリント装置２はユーザが中に入って撮影を行うボックス状の外観を有し、制御装置２０、表示部２１、課金部２２、撮影部２３、照明２４、プリンタ２５、プリント物取出口２６、読取部２７等を有する。
【００２５】
制御装置２０は画像プリント装置２の内部に設けられ、画像プリント装置２の処理全体を制御する。
【００２６】
図４は制御装置２０のハードウェア構成を示す図である。図４に示すように、制御装置２０は、例えば制御部２１０、記憶部２２０、入力部２３０、通信部２４０等をバス等により接続して構成したコンピュータにより実現できる。但しこれに限ることなく、適宜様々な構成をとることができる。
【００２７】
制御部２１０はCPU、ROM、RAMなどから構成される。CPUは、記憶部２２０、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２２０、ROMなどからロードしたプログラムやデータを一時的に保持するとともに、制御部２１０が各種処理を行うために使用するワークエリアを備える。
【００２８】
記憶部２２０はハードディスクドライブやソリッドステートドライブ、フラッシュメモリ等であり、後述する処理に際し制御装置２０が実行するプログラム、プログラム実行に必要なデータ、OS（オペレーションシステム）等が格納される。これらのプログラムやデータは、制御部２１０により必要に応じて読み出され実行される。
【００２９】
入力部２３０は制御装置２０に各種の設定入力を行うものである。
通信部２４０はネットワーク６等を介した通信を媒介する通信インタフェースであり、サーバ３等との間で通信を行う。
【００３０】
図２、３の説明に戻る。表示部２１は、画像プリント装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００３１】
課金部２２は、硬貨や紙幣の投入口、つり銭返却口、レシート取出口、レシートプリンタ等（不図示）を備え、ユーザからの課金やレシートの発行を管理する。
【００３２】
撮影部２３は、撮影窓の内側にカメラ等を設けたものである。カメラには例えば高解像度のデジタルカメラが用いられるが、これに限ることはない。
【００３３】
照明２４は、画像プリント装置２のボックス内の全体を照らす照明である。照明２４は例えば白色の光を照射する面光源であり、撮影部２３の上部に設けられるが、これに限ることはない。
【００３４】
プリンタ２５は、画像を用紙にプリントするものであり、画像プリント装置２の内部に設けられる。画像をプリントしたプリント物はプリント物取出口２６に排出される。プリンタ２５の方式や設置台数等は特に問わない。
【００３５】
読取部２７はイメージスキャナや読取用の照明等を備える。
【００３６】
図１の説明に戻る。サーバ３は、画像のプリント注文を携帯端末５から受け付けるものである。
【００３７】
図５はサーバ３のハードウェア構成を示す図である。図５に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３８】
制御部３１、記憶部３２、入力部３４、通信部３５の機能は上述した制御部２１０、記憶部２２０、入力部２３０、通信部２４０と略同様である。また表示部３３は液晶パネル等のディスプレイ装置を有する。
【００３９】
なお、記憶部３２には後述する処理をサーバ３に実行させるためのプログラムやデータが格納される。特に本実施形態では、画像のプリント注文に関する注文受付データと、画像プリント装置２が設置された位置に関する装置データが記憶部３２に格納される。注文受付データと装置データについては後述する。
【００４０】
図１の説明に戻る。携帯端末５はユーザが画像のプリント注文に用いるコンピュータ端末であり、例えばスマートフォンやタブレット端末等を用いることができる。
【００４１】
図６は携帯端末５のハードウェア構成を示す図である。図６に示すように、携帯端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４２】
制御部５１、記憶部５２、入力部５４、通信部５５の機能は上述した制御部２１０、記憶部２２０、入力部２３０、通信部２４０と略同様である。また表示部５３は液晶パネル等のディスプレイ装置を有し、入力部５４としてのタッチパネルが設けられている。音声入出力部５７はマイクやスピーカ等である。
【００４３】
なお、記憶部５２には携帯端末５の後述する処理を実行するための専用のアプリケーションプログラムや、プリント注文した画像に関する注文画像データが格納される。注文画像データについては後述する。
【００４４】
図７はプリント注文システム１の機能構成を示す図である。図７に示すように、プリント注文システム１において、携帯端末５は、端末位置送信手段１０、周囲装置受信手段１１、周囲装置表示手段１２、端末位置再送信手段１３、周囲装置再受信手段１４、周囲装置再表示手段１５等を有し、サーバ３は端末位置受信手段１６、周囲装置送信手段１７、端末位置再受信手段１８、周囲装置再送信手段１９等を有する。
【００４５】
端末位置送信手段１０（第１の送信手段）は、画像のプリント注文時に、携帯端末５が通信部５５を介して携帯端末５の端末位置と当該画像とをサーバ３に送信するものである。
【００４６】
周囲装置受信手段１１（第１の受信手段）は、携帯端末５が、上記端末位置の周囲にある画像プリント装置２の位置情報と、画像プリント装置２で画像をプリントする際に用いられるトリガー情報とを通信部５５を介してサーバ３から受信するものである。トリガー情報はプリントする画像を識別できる情報であればよいが、その詳細については後述する。また本実施形態では、画像プリント装置２の位置情報として、上記端末位置に最も近い画像プリント装置２のみの位置情報を受信するものとする。
【００４７】
周囲装置表示手段１２（第１の表示手段）は、携帯端末５が、上記受信した画像プリント装置２の位置情報を表示部５３に表示するものである。
【００４８】
端末位置再送信手段１３（第２の送信手段）は、携帯端末５の表示部５３でトリガー情報を表示する際、携帯端末５が通信部５５を介して携帯端末５の端末位置をサーバ３に再送信するものである。
【００４９】
周囲装置再受信手段１４（第２の受信手段）は、携帯端末５が、上記再送信した端末位置の周囲にある画像プリント装置２の位置情報を通信部５５を介してサーバ３から再受信するものである。本実施形態では、画像プリント装置２の位置情報として、上記再送信した端末位置に最も近い画像プリント装置２のみの位置情報を再受信するものとする。
【００５０】
周囲装置再表示手段１５（第２の表示手段）は、携帯端末５が、上記再受信した画像プリント装置２の位置情報を表示部５３に表示するものである。
【００５１】
端末位置受信手段１６（受信手段）は、携帯端末５による画像のプリント注文時に、サーバ３が通信部３５を介して携帯端末５の端末位置と当該画像とを携帯端末５から受信するものである。
【００５２】
周囲装置送信手段１７（送信手段）は、サーバ３が、上記端末位置の周囲にある画像プリント装置２の位置情報と、トリガー情報とを通信部３５を介して携帯端末５に送信するものである。前記したように、本実施形態では、画像プリント装置２の位置情報として、上記端末位置に最も近い画像プリント装置２のみの位置情報を送信する。
【００５３】
端末位置再受信手段１８は、携帯端末５の表示部５３でトリガー情報を表示する際、サーバ３が通信部３５を介して携帯端末５の端末位置を携帯端末５から再受信するものである。
【００５４】
周囲装置再送信手段１９は、サーバ３が、上記再受信した端末位置の周囲にある画像プリント装置２の位置情報を通信部３５を介して携帯端末５に再送信するものである。前記したように、本実施形態では、画像プリント装置２の位置情報として、上記再受信した端末位置に最も近い画像プリント装置２のみの位置情報を再送信する。
【００５５】
図８（ａ）は携帯端末５の記憶部５２に格納される注文画像データ１００の例である。注文画像データ１００は、例えば画像１０１、注文時刻１０２、注文時位置１０３、二次元コード１０４、周囲装置情報１０５等を紐付けたものである。
【００５６】
画像１０１は、画像のプリント注文時に、携帯端末５がサーバ３に送信した画像である。
【００５７】
注文時刻１０２はプリント注文を行った時刻であり、本実施形態では携帯端末５からサーバ３に携帯端末５の端末位置と画像１０１を送信した時刻である。
【００５８】
注文時位置１０３は、プリント注文時の携帯端末５の端末位置である。端末位置は例えば緯度と経度により表される。
【００５９】
二次元コード１０４は前記のトリガー情報であり、後述する注文IDをコード化したものである。本実施形態では二次元コード１０４としてコード化された注文IDによりプリントする画像１０１を識別可能としている。
【００６０】
周囲装置情報１０５は、携帯端末５の端末位置の周囲にある画像プリント装置２の情報であり、当該画像プリント装置２の位置情報を含む。本実施形態では、周囲装置情報１０５として端末位置に最も近い画像プリント装置２のみについての情報を記録する。
【００６１】
図８（ｂ）はサーバ３の記憶部３２に格納される注文受付データ２００の例である。注文受付データ２００は、例えば、注文ID２０１、画像１０１、注文情報２０２を紐付けたものである。
【００６２】
注文ID２０１は、個々のプリント注文を識別する識別情報である。前記の二次元コード１０４は、注文ID２０１をコード化して作成される。
【００６３】
注文情報２０２は、画像１０１のプリント枚数やプリントサイズなどのプリント注文に関する情報である。
【００６４】
図８（ｃ）はサーバ３の記憶部３２に格納される装置データ３００の例である。装置データ３００は、例えば、サーバ３で管理している各画像プリント装置２の装置ID３０１を、当該画像プリント装置２の位置情報３０２に紐付けたものである。
【００６５】
装置ID３０１は個々の画像プリント装置２を識別する識別情報である。
【００６６】
位置情報３０２は上記画像プリント装置２の位置を示す情報である。位置情報３０２は例えば緯度と経度により表される。
【００６７】
（２．プリント注文システム１の処理）
次に、本実施形態のプリント注文システム１が行う処理について説明する。プリント注文システム１における処理は、画像１０１のプリント注文、二次元コード１０４の表示、画像１０１のプリントに大きく分けることができ、以下ではそれぞれの手順について説明する。
【００６８】
（２−１．画像１０１のプリント注文）
図９は画像１０１のプリント注文の手順を示すフローチャートである。図９のＳ１０１〜Ｓ１０４、Ｓ１０９〜Ｓ１１１は携帯端末５の制御部５１が携帯端末５の各部を制御することにより実行し、Ｓ１０５〜Ｓ１０８はサーバ３の制御部３１がサーバ３の各部を制御することにより実行する。
【００６９】
本実施形態では、まずユーザが自身の携帯端末５で前記のアプリケーションプログラム（以下、アプリケーションという）を立ち上げ、プリントする画像の選択、および画像のプリント注文に係る操作を行う。
【００７０】
例えばユーザは、表示部５３に表示される選択画面（不図示）にて記憶部５２に格納された画像の中からプリントする画像１０１を１または複数枚選択し、必要に応じて画像１０１の編集を行う。画像１０１の編集は、例えば画像１０１のサイズ、明るさ、色の調整、画像１０１への所定の絵柄の付加、画像１０１への描画等であるが、これに限ることはない。
【００７１】
また、ユーザは注文情報２０２（画像１０１のプリント枚数やプリントサイズなど）の設定も画像１０１ごとに行い、画像１０１のプリント注文の指示を画面上で行う。
【００７２】
携帯端末５は、プリント注文の指示を受付ける（Ｓ１０１）と、携帯端末５の端末位置をGPS(Global
Positioning System)などの既知の測位システムを利用して取得する（Ｓ１０２）。
【００７３】
携帯端末５は、上記取得した端末位置と、先程選択された画像１０１およびその注文情報２０２（画像１０１等という）をサーバ３へ送信してプリント注文を行い（Ｓ１０３）、当該画像１０１についての注文画像データ１００を作成して記憶部５２に記録する（Ｓ１０４）。
【００７４】
Ｓ１０４では、Ｓ１０３で端末位置と画像１０１等を送信した時刻を注文時刻１０２とし、Ｓ１０２で取得した端末位置を注文時位置１０３として、これらを画像１０１と紐付けた注文画像データ１００を作成する。なお前記の二次元コード１０４と周囲装置情報１０５はこの時点ではまだ記録されていない。
【００７５】
サーバ３は、携帯端末５から端末位置と画像１０１等を受信する（Ｓ１０５）と、注文受付データ２００を作成して記憶部３２に記録する（Ｓ１０６）。Ｓ１０６では注文ID２０１を新たに生成し、これをＳ１０５で受信した画像１０１および注文情報２０２と紐付けて注文受付データ２００を作成する。
【００７６】
またサーバ３は、Ｓ１０５で受信した端末位置と最も近い位置の画像プリント装置２を装置データ３００から１つ検索し、その位置情報等を周囲装置情報１０５として取得する（Ｓ１０７）。
【００７７】
Ｓ１０７では、周囲装置情報１０５として、例えば上記端末位置との差が最も小さい位置情報３０２とこれに対応する装置ID３０１が装置データ３００の中から取得される。
【００７８】
次に、サーバ３は、注文ID２０１をコード化して二次元コード１０４を生成し、周囲装置情報１０５と二次元コード１０４を携帯端末５に送信する（Ｓ１０８）。
【００７９】
携帯端末５は、周囲装置情報１０５と二次元コード１０４を受信する（Ｓ１０９）と、周囲装置情報１０５と二次元コード１０４をＳ１０４で作成した注文画像データ１００に記録し（Ｓ１１０）、注文画像データ１００の画像１０１と周囲装置情報１０５を表示部５３に表示する（Ｓ１１１）。
【００８０】
図１２（ａ）はＳ１１１において携帯端末５の表示部５３に表示される画面の例である。図の例では、ユーザがＳ１０３でサーバ３に送信（アップロード）した画像１０１が表示されるとともに、Ｓ１０９で受信した周囲装置情報１０５が表示される。図の例では、周囲装置情報１０５として地図上の画像プリント装置２の位置にマークａが表示されるが、その表示方法は特に限定されない。なお図の５３１はＳ１０３でサーバ３にアップロードした他の画像１０１を表示させるための送りボタンである。
【００８１】
（２−２．二次元コード１０４の表示）
以上のフローでプリント注文を行ったユーザは、前記の二次元コード１０４を携帯端末５の表示部５３に表示させ、これをトリガーとして用い、画像プリント装置２に読取らせることで画像１０１のプリントを行うことができる。
【００８２】
図１０は二次元コード１０４を表示する手順を示すフローチャートである。図１０のＳ２０１〜Ｓ２０６、Ｓ２１０〜Ｓ２１１は携帯端末５の制御部５１が携帯端末５の各部を制御することにより実行し、Ｓ２０７〜Ｓ２０９はサーバ３の制御部３１がサーバ３の各部を制御することにより実行する。
【００８３】
二次元コード１０４を表示する際、ユーザはまず携帯端末５を操作してアプリケーションを立ち上げ、表示部５３に表示される選択画面（不図示）にてプリントする画像１０１を選択する。
【００８４】
携帯端末５はこの画像選択を受付ける（Ｓ２０１）と、注文画像データ１００を参照して上記選択された画像１０１に対応する注文時刻１０２を取得し、当該注文時刻１０２と現在時刻を比較して、現在時刻が画像１０１の注文時刻１０２から所定時間経過しているか否かを判定する（Ｓ２０２）。所定時間は予め設定された値である。
【００８５】
Ｓ２０２において注文時刻１０２から所定時間経過していないと判定された場合（Ｓ２０２；ＮＯ）、ユーザはプリント注文時からあまり移動しておらず、前記のＳ１１１（図９参照）で表示した周囲装置情報１０５がまだ有効であるとする。携帯端末５は、Ｓ２０１で選択された画像１０１とこれに対応する二次元コード１０４、周囲装置情報１０５（二次元コード１０４等という）を表示部５３に表示する（Ｓ２０３）。
【００８６】
図１２（ｂ）はＳ２０３において携帯端末５の表示部５３に表示される画面の例である。図の例では、ユーザがＳ２０１で選択した画像１０１が表示されるとともに、当該画像１０１に対応する二次元コード１０４、周囲装置情報１０５が表示される。周囲装置情報１０５はＳ１１１で表示したものと同じであるため、省略することも可能である。
【００８７】
一方、Ｓ２０２において注文時刻１０２から所定時間経過したと判定された場合（Ｓ２０２；ＹＥＳ）、ユーザがプリント注文時からある程度移動してＳ１１１で表示した周囲装置情報１０５が有効で無くなった可能性が有るとする。そこで携帯端末５は、Ｓ１０２（図９参照）と同様に端末位置を取得し（Ｓ２０４）、当該端末位置と注文時位置１０３とを比較することで、当該端末位置が注文時位置１０３から所定距離離れたか否かを判定する（Ｓ２０５）。所定距離は予め設定された値である。
【００８８】
Ｓ２０５において注文時位置１０３から所定距離離れていないと判定された場合（Ｓ２０５；ＮＯ）、ユーザはプリント注文時からあまり移動しておらず、Ｓ１１１で表示した周囲装置情報１０５はまだ有効である。そのため携帯端末５は、図１２（ｂ）と同様の画面にて表示部５３に二次元コード１０４等を表示させる（Ｓ２０３）。
【００８９】
一方、Ｓ２０５において注文時位置１０３から所定距離離れたと判定された場合（Ｓ２０５；ＹＥＳ）、ユーザはプリント注文時からある程度移動しており、前記のＳ１１１で表示した周囲装置情報１０５はもはや有効でない。そのため携帯端末５は、Ｓ２０４で取得した端末位置を用いて周囲装置情報１０５を更新する処理を行う。
【００９０】
すなわち、携帯端末５は上記取得した端末位置をサーバ３に再送信する（Ｓ２０６）。サーバ３は、端末位置を再受信すると（Ｓ２０７）、Ｓ１０７（図９参照）と同様、当該端末位置と最も近い位置の画像プリント装置２を装置データ３００から１つ検索し、その位置情報等を周囲装置情報１０５として取得する（Ｓ２０８）。そして、取得した周囲装置情報１０５を携帯端末５に再送信する（Ｓ２０９）。
【００９１】
携帯端末５は、周囲装置情報１０５を再受信する（Ｓ２１０）と、注文画像データ１００の周囲装置情報１０５を再受信した周囲装置情報１０５で更新し（Ｓ２１１）、Ｓ２０１で選択された画像１０１とこれに対応する二次元コード１０４、および更新された周囲装置情報１０５を表示部５３に表示させる（Ｓ２０３）。
【００９２】
この時の表示画面を図１２（ｃ）に示す。表示画面は基本的に図１２（ｂ）の画面と同様であるが、周囲装置情報１０５については、先程のものとは異なる新たな周囲装置情報１０５が表示されることとなる。
【００９３】
（２−３．画像１０１のプリント）
画像１０１をプリントしようとするユーザは以上のフローにより携帯端末５の表示部５３に二次元コード１０４を表示させ、最寄りの画像プリント装置２に移動して画像１０１のプリントを行う。
【００９４】
図１１は画像１０１をプリントする手順を示すフローチャートである。図１１のＳ３０１〜Ｓ３０３、Ｓ３０６〜Ｓ３０８は画像プリント装置２の制御装置２０が画像プリント装置２の各部を制御することにより実行し、Ｓ３０４〜Ｓ３０５はサーバ３の制御部３１がサーバ３の各部を制御することにより実行する。
【００９５】
画像プリント装置２は、センサ（不図示）によってボックス内に入ったユーザを検知すると、表示部２１にトップ画面（不図示）を表示させる。このトップ画面では、写真撮影サービスや画像プリントサービスへの移行を選択するためのボタンが表示され、ここではユーザが画像プリントサービスに移行することを選択する。
【００９６】
すると、画像プリント装置２は、二次元コード１０４を読取部２７で読取らせることを促すメッセージを表示部２１に表示する。ユーザは、携帯端末５の表示部５３に表示した二次元コード１０４を読取部２７にかざす。画像プリント装置２は、読取部２７により二次元コード１０４を読取ると（Ｓ３０１）、二次元コード１０４を復号して注文ID２０１を取得する（Ｓ３０２）。
【００９７】
画像プリント装置２は、Ｓ３０２で取得した注文ID２０１をサーバ３に送信する（Ｓ３０３）。サーバ３は、注文ID２０１を受信する（Ｓ３０４）と、注文受付データ２００を参照し、注文ID２０１に対応する画像１０１とその注文情報２０２を画像プリント装置２に送信する（Ｓ３０５）。
【００９８】
画像プリント装置２は、画像１０１と注文情報２０２を受信すると（Ｓ３０６）、画像１０１および注文情報２０２に応じたプリント料金等を表示部２１に表示させ、ユーザによる画像１０１の確認とプリント料金の課金を促す。
【００９９】
ユーザは画面に表示された画像１０１を確認し、課金部２２にてプリント料金を課金する。画像プリント装置２は、課金を受付けると（Ｓ３０７）、画像１０１のプリントをプリンタ２５にて行う（Ｓ３０８）。
【０１００】
以上説明したように、本実施形態では、携帯端末５から画像１０１をサーバ３に送信して画像１０１のプリント注文を行うと、端末位置の周囲にある画像プリント装置２を携帯端末５にて表示させることができる。これによりユーザは周囲にある画像プリント装置２を把握し、手間取ることなく当該画像プリント装置２へと移動し画像１０１のプリントを行える。特に本実施形態では上記の画像プリント装置２として端末位置の最寄りの画像プリント装置２のみを表示しており、ユーザは最寄りの画像プリント装置２を迅速に把握できる。
【０１０１】
ユーザは、一旦プリント注文を行った後に他の用事で別の場所に移動する場合もあり、このようなケースではＳ１１１で最初に携帯端末５に表示させた画像プリント装置２の位置情報が有効で無くなる。本実施形態では画像プリント装置２で画像１０１をプリントする際に二次元コード１０４を用いるが、この二次元コード１０４を携帯端末５で表示させる際に再度端末位置の周囲にある画像プリント装置２を表示させることで、上記のようにプリント注文を行った後に別の場所に移動した場合でも、移動後のユーザが画像１０１をプリントしようとする際に周囲にある画像プリント装置２を把握できる。本実施形態ではこの場合も上記の画像プリント装置２として端末位置の最寄りの画像プリント装置２のみを表示しており、移動後のユーザは最寄りの画像プリント装置２を迅速に把握できる。
【０１０２】
上記のようにプリント注文後にユーザが別の場所（所定距離離れた場所）に移動したかどうかは、携帯端末５の端末位置やプリント注文時からの時間経過により判定でき、移動していないとされる場合には端末位置を再度送信することなくそのまま二次元コード１０４を表示することができる。本実施形態では、プリント注文時からの時間経過によりユーザが所定距離離れた場所に移動した可能性が有るとされる場合のみ、端末位置によりユーザが所定距離離れた場所に移動したかどうかを判定するので、携帯端末５の測位を行う頻度をできるだけ少なくしつつ、ユーザが所定距離離れた場所に移動したことを確実に判定できる。
【０１０３】
しかしながら、本発明はこれに限らない。例えば本実施形態では証明写真の撮影ボックスで画像をプリントする例を説明したが、これに限ることはなく、コンビニエンスストアや家電量販店その他の店舗等に設置された写真撮影機能を持たない画像プリント装置であっても、サーバ３と通信可能に接続されていれば本実施形態の手法は前記と同様に適用可能である。
【０１０４】
また本実施形態では、Ｓ１０７（図９参照）やＳ２０８（図１０参照）で取得され携帯端末５に送信される周囲装置情報１０５を、携帯端末５の端末位置に最も近い画像プリント装置２のみの位置情報等としているが、周囲装置情報１０５は、端末位置の周囲にある複数の画像プリント装置２（端末位置に最も近い画像プリント装置２を含む）の位置情報等としてもよい。周囲装置情報１０５として端末位置からどの程度の範囲の画像プリント装置２について位置情報等を取得するかは特に限定されず、例えば図１２（ａ）〜（ｃ）に示す地図の縮尺等に応じて定めることができる。
【０１０５】
また、本実施形態では二次元コード１０４を表示する際の時刻が注文時刻１０２から所定時間経過していると判定され、且つ二次元コード１０４を表示する際の携帯端末５の端末位置が注文時位置１０３から所定距離離れていると判定される場合に、周囲装置情報１０５の更新を行うが、時間経過による判定を省略して端末位置による判定のみを行ってもよく、あるいは時間経過による判定のみ行ってもよい。前者の場合、ユーザが所定距離離れた場所に移動したかどうかを確実に判定でき、後者の場合、判定時に携帯端末５の測位を行わずに済み処理が簡単になる。
【０１０６】
前者の場合のフローは図１０のフローのＳ２０２を省略したものになるが、簡単に説明すると、携帯端末５は、図１３（ａ）のようにプリントする画像の選択を受付けた後（Ｓ２０１）、端末位置を取得し（Ｓ２０４）、当該端末位置が、上記選択された画像１０１に対応する注文時位置１０３から所定距離離れたか否かを判定する（Ｓ２０５）。注文時位置１０３から所定距離離れていない場合（Ｓ２０５；ＮＯ）、携帯端末５は図１２（ｂ）と同様の画面にて表示部５３に二次元コード１０４等を表示させる（Ｓ２０３）。注文時位置１０３から所定距離離れた場合（Ｓ２０５；ＹＥＳ）は、図１０のＳ２０６以降の処理により更新された新たな周囲装置情報１０５を二次元コード１０４とともに表示する。
【０１０７】
後者の場合のフローは図１０のフローのＳ２０５を省略したものになるが、簡単に説明すると、携帯端末５は、図１３（ｂ）のようにプリントする画像の選択を受付けた後（Ｓ２０１）、現在時刻が、上記選択された画像１０１に対応する注文時刻１０２から所定時間経過しているか否かを判定する（Ｓ２０２）。注文時刻１０２から所定時間経過していないと判定された場合（Ｓ２０２；ＮＯ）、携帯端末５は図１２（ｂ）と同様の画面にて表示部５３に二次元コード１０４等を表示させる（Ｓ２０３）。注文時刻１０２から所定時間経過したと判定された場合（Ｓ２０２；ＹＥＳ）、携帯端末５は端末位置を取得し（Ｓ２０４）、図１０のＳ２０６以降の処理により更新された新たな周囲装置情報１０５を二次元コード１０４とともに表示する。
【０１０８】
また、本実施形態では端末位置や時間経過による判定の結果により周囲装置情報１０５の更新が自動で行われるが、図１２（ｄ）に示すように、周囲装置情報１０５を再検索して更新するかどうかを選択するための選択画面を表示部５３に表示してもよい。
【０１０９】
図１２（ｄ）の例では「はい」ボタン５３３を押下することでＳ２０６以下の処理（図１０参照）により更新された新たな周囲装置情報１０５が図１２（ｃ）と同様に表示され、「いいえ」ボタン５３４を押下した場合には図１２（ｂ）のように周囲装置情報１０５が更新されずそのまま表示される。当該画面中の周囲装置情報１０５は有効で無いが、ユーザはインターネット等で自ら最寄りの画像プリント装置２を検索することができる。当該画面中の周囲装置情報１０５を非表示としてもよい。
【０１１０】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１１１】
１：プリント注文システム
２：画像プリント装置
３：サーバ
５：携帯端末
６：ネットワーク
１０：端末位置送信手段
１１：周囲装置受信手段
１２：周囲装置表示手段
１３：端末位置再送信手段
１４：周囲装置再受信手段
１５：周囲装置再表示手段
１６：端末位置受信手段
１７：周囲装置送信手段
１８：端末位置再受信手段
１９：周囲装置再送信手段
１００：注文画像データ
１０１：画像
１０２：注文時刻
１０３：注文時位置
１０４：二次元コード
１０５：周囲装置情報
２００：注文受付データ
２０１：注文ID
２０２：注文情報
３００：装置データ
３０１：装置ID
３０２：位置情報
【図１】
2020088625.tif 000003
【図２】
2020088625.tif 000004
【図３】
2020088625.tif 000005
【図４】
2020088625.tif 000006
【図５】
2020088625.tif 000007
【図６】
2020088625.tif 000008
【図７】
2020088625.tif 000009
【図８】
2020088625.tif 000010
【図９】
2020088625.tif 000011
【図１０】
2020088625.tif 000012
【図１１】
2020088625.tif 000013
【図１２】
2020088625.tif 000014
【図１３】
2020088625.tif 000015